(57)【要約】【課題】本発明の目的は操作の必要がない注射針の取り外し方法、そのために必要な構造、ならびに、医療廃棄用の容器のアタッチメントを提供することである。【解決手段】針ユニット２７をカバー２０と共に取り外す方法であって、容器１のアタッチメント４に形成された長孔４０の第１部４１にカバー２０の有底筒部２２を押し込んだ状態で注射器３の本体ケース３０を回転させて、本体ケース３０に針ユニット２７がネジ込まれているのを解除し、その後、本体ケース３０と共にカバー２０を長孔４０に沿って長孔４０の第１部４１から第２部４２に移動させ、カバー２０の径大部２１が第２部４２に前記針２５の軸線方向Ｓに係合している状態で、前記本体ケース３０を前記軸線方向Ｓの上方に向かって引き上げることで、本体ケース３０側に刺さっていた針ユニット２７をカバー２０と共に容器１内に落下させる。【選択図】図８
2016209184.tif 000002
【特許請求の範囲】
【請求項１】
針２５と当該針２５の一部を囲繞するハウジング２６を有する針ユニット２７が注射器３の本体ケース３０に着脱自在にネジ込まれ、径大部２１に連なる有底筒部２２を有し前記針ユニット２７の先端側を包むカバー２０が前記針ユニット２７に装着された状態で前記針ユニット２７を前記カバー２０と共に取り外す方法であって、
医療廃棄用の容器１又は当該容器１のアタッチメント４に形成された長孔４０の第１部４１に前記カバー２０の有底筒部２２を押し込んだ状態で前記注射器３の本体ケース３０を回転させて、前記本体ケース３０に前記針ユニット２７がネジ込まれているのを解除する解除工程と、
前記解除工程の後に前記本体ケース３０と共に前記カバー２０を前記長孔４０に沿って前記長孔４０の前記第１部４１から第２部４２に移動させる移動工程と、
前記カバー２０の径大部２１が前記第２部４２に前記針２５の軸線方向Ｓに係合している状態で、前記本体ケース３０を前記軸線方向Ｓの上方に向かって引き上げることで、前記本体ケース３０側に刺さっていた前記針ユニット２７を前記カバー２０と共に前記容器１内に落下させる抜け落ち工程と、を備える方法。
【請求項２】
請求項１の方法において、
前記移動工程において前記第１部４１から第２部４２に前記カバー２０を水平方向に移動させることを特徴とする、方法。
【請求項３】
請求項１の方法において、
前記針ユニット２７に前記カバー２０が装着されていない状態で、前記カバー２０を前記長孔４０の第１部４１に置く工程と、
前記第１部４１に置かれた前記カバー２０内に、前記本体ケース３０に装着された前記針ユニット２７の先端側を挿入し前記針ユニット２７に前記カバー２０を装着する工程と、を更に備える方法。
【請求項４】
針２５と当該針２５の一部を囲繞するハウジング２６を有する針ユニット２７が注射器３の本体ケース３０に着脱自在にネジ込まれ、前記針ユニット２７の先端側を包むカバー２０が前記針ユニット２７に装着された状態で前記針ユニット２７を前記カバー２０と共に取り外す構造であって、
前記構造は医療廃棄用の容器１又は当該容器１のアタッチメント４を貫通する長孔４０で形成されており、
前記長孔４０は長手方向Ｌの一方の端部に形成され前記カバー２０の有底筒部２２に周方向に係合する第１部４１と、前記長手方向Ｌの他方の端部に形成され前記カバー２０の径大部２１に軸方向Ｓに係合する第２部４２とを有し、
前記径大部２１の軸線方向Ｓの長さに相当する分以上に、前記第１部４１よりも第２部４２が高い位置に設けられていることを特徴とする、構造。
【請求項５】
請求項４の構造において、
前記長手方向Ｌに直交する幅方向Ｗの大きさが前記第１部４１に比べ前記第２部４２が大きいことを特徴とする、構造。
【請求項６】
針２５と当該針２５の一部を囲繞するハウジング２６を有する針ユニット２７が注射器３の本体ケース２０に着脱自在にネジ込まれ、径大部２１に連なる有底筒部２２を有し前記針ユニット２７の先端側を包むカバー２０が前記針ユニット２７に装着された状態で前記針ユニット２７を前記カバー２０と共に取り外すためのアタッチメント４であって、
前記アタッチメント４は医療廃棄用の容器１の投入開口１６に装着され、
前記アタッチメント４は当該アタッチメント４を貫通する長孔４０を有し、
前記長孔４０は長手方向Ｌの一方の端部に形成され前記カバー２０の前記有底筒部２２に周方向に係合する第１部４１と、前記長手方向Ｌの他方の端部に形成され前記カバー２０の径大部２１に軸方向Ｓに係合する第２部４２とを有し、
前記長手方向Ｌに直交する方向の大きさが前記第１部４１に比べ前記第２部４２が大きいことを特徴とするアタッチメント。
【請求項７】
請求項６のアタッチメントにおいて、
前記径大部２１の軸線方向Ｓの長さに相当する分以上に、前記第１部４１よりも前記第２部４２が高い位置に設けられていることを特徴とするアタッチメント。
【請求項８】
請求項６もしくは７のアタッチメントにおいて、
医療廃棄用の別の投入開口４６を有することを特徴とするアタッチメント。
【発明の詳細な説明】
【技術分野】
【０００１】
本発明は注射針の取り外し方法、そのために必要な構造、ならびに、医療廃棄用の容器のアタッチメントに関する。
【背景技術】
【０００２】
前記容器の内蓋には注射針を注射器本体から抜き取る機能を設けている場合がある。
【先行技術文献】
【特許文献】
【０００３】
【特許文献１】ＷＯ２０１０／１２２６８３
【発明の概要】
【０００４】
前記先行技術では容器にスライダ（移動部材）を設け、針の抜き取り時に前記スライダを指先等で操作する必要がある。この際、前記スライダが汚染され、指先が傷付いている場合が想定される。
【０００５】
したがって、本発明の目的は前述のような操作の必要がない注射針の取り外し方法、そのために必要な構造、ならびに、医療廃棄用の容器のアタッチメントを提供することである。
【０００６】
前記目的を達成するための本発明方法は、針２５と当該針２５の一部を囲繞するハウジング２６を有する針ユニット２７が注射器３の本体ケース３０に着脱自在にネジ込まれ、径大部２１に連なる有底筒部２２を有し前記針ユニット２７の先端側を包むカバー２０が前記針ユニット２７に装着された状態で前記針ユニット２７を前記カバー２０と共に取り外す方法であって、
医療廃棄用の容器１又は当該容器１のアタッチメント４に形成された長孔４０の第１部４１に前記カバー２０の有底筒部２２を押し込んだ状態で前記注射器３の本体ケース３０を回転させて、前記本体ケース３０に前記針ユニット２７がネジ込まれているのを解除する解除工程と、
前記解除工程の後に前記本体ケース３０と共に前記カバー２０を前記長孔４０に沿って前記長孔４０の前記第１部４１から第２部４２に移動させる移動工程と、
前記カバー２０の径大部２１が前記第２部４２に前記針２５の軸線方向Ｓに係合している状態で、前記本体ケース３０を前記軸線方向Ｓの上方に向かって引き上げることで、前記本体ケース３０側に刺さっていた前記針ユニット２７を前記カバー２０と共に前記容器１内に落下させる抜け落ち工程と、を備える。
【０００７】
前記発明方法を実現するための本発明構造は、針２５と当該針２５の一部を囲繞するハウジング２６を有する針ユニット２７が注射器３の本体ケース３０に着脱自在にネジ込まれ、前記針ユニット２７の先端側を包むカバー２０が前記針ユニット２７に装着された状態で前記針ユニット２７を前記カバー２０と共に取り外す構造であって、
前記構造は医療廃棄用の容器１又は当該容器１のアタッチメント４を貫通する長孔４０で形成されており、
前記長孔４０は長手方向Ｌの一方の端部に形成され前記カバー２０の有底筒部２２に周方向に係合する第１部４１と、前記長手方向Ｌの他方の端部に形成され前記カバー２０の径大部２１に軸方向Ｓに係合する第２部４２とを有し、
前記径大部２１の軸線方向Ｓの長さに相当する分以上に、前記第１部４１よりも第２部４２が高い位置に設けられていることを特徴とする。
【０００８】
前記発明構造の一例としての本アタッチメントは、針２５と当該針２５の一部を囲繞するハウジング２６を有する針ユニット２７が注射器３の本体ケース２０に着脱自在にネジ込まれ、径大部２１に連なる有底筒部２２を有し前記針ユニット２７の先端側を包むカバー２０が前記針ユニット２７に装着された状態で前記針ユニット２７を前記カバー２０と共に取り外すためのアタッチメント４であって、
前記アタッチメント４は医療廃棄用の容器１の投入開口１６に装着され、
前記アタッチメント４は当該アタッチメント４を貫通する長孔４０を有し、
前記長孔４０は長手方向Ｌの一方の端部に形成され前記カバー２０の前記有底筒部２２に周方向に係合する第１部４１と、前記長手方向Ｌの他方の端部に形成され前記カバー２０の径大部２１に軸方向Ｓに係合する第２部４２とを有し、
前記長手方向Ｌに直交する方向の大きさが前記第１部４１に比べ前記第２部４２が大きいことを特徴とする。
【０００９】
これらの発明によれば、容器又はアタッチメントに形成された長孔内を第１部から第２部に向かって、注射器の本体ケースと共にカバーを移動させることで、針の抜き取りを行うことができる。したがって、汚染されている可能性のある容器の部位を手指で触れる必要がない。
【００１０】
更に、本発明構造においては、前記径大部２１の軸線方向Ｓの長さに相当する分以上に、前記第１部４１よりも前記第２部４２が高い位置に設けられている。そのため、有底筒部が第１部において周方向に係合していたカバーを第２部に向かって水平に移動させると、径大部が第２部の真下に移動する。したがって、水平移動後に、径大部が第２部の軸方向に係合する。その結果、針の抜き取り操作を容易かつ迅速に行うことができる。
【００１１】
一方、本アタッチメントにおいては、第１部に比べ第２部が大きく、そのため、一般的なカバーの構造に応じて、径大部を第２部に引っ掛けることが可能となる。
【図面の簡単な説明】
【００１２】
【図１】本発明の一実施例を示すアタッチメント付の容器の斜視図である。
【図２】投入開口およびアタッチメントを示す斜視図である。
【図３】アタッチメントの平面図および斜視図である。
【図４】注射器、注射針およびカバーを示す縦断面図である。
【図５】同分解斜視図である。
【図６】同斜視図である。
【図７】カバーの装着方法を示す一部断面した側面図である。
【図８】針ユニットおよびカバーの抜き取り方法を示す側面図である。
【図９】外科手術用のメスの構造を示す斜視図である。
【図１０】同メスの替刃の取り外し方法を示す一部断面した側面図である。
【図１１】容器の他の例を示す斜視図である。
【発明を実施するための形態】
【００１３】
好ましい方法においては、前記移動工程において前記第１部４１から第２部４２に前記カバー２０を水平方向に移動させることを特徴とする
【００１４】
この場合、図１１の例と異なり注射器を上下に移動させる手間が省け至便である。
【００１５】
更に好ましい方法においては、前記針ユニット２７に前記カバー２０が装着されていない状態で、前記カバー２０を前記長孔４０の第１部４１に置く工程と、
前記第１部４１に置かれた前記カバー２０内に、前記本体ケース３０に装着された前記針ユニット２７の先端側を挿入し前記針ユニット２７に前記カバー２０を装着する工程と、を更に備える。
【００１６】
この場合、針ユニットにカバーを装着する作業において、針で指先を刺すおそれがない。
【００１７】
好ましい構造においては、前記長手方向Ｌに直交する幅方向Ｗの大きさが前記第１部４１に比べ前記第２部４２が大きいことを特徴とする。
【００１８】
この場合、前述のように、一般的なカバーの構造に応じて、径大部を第２部に引っ掛けることが可能となる。
【００１９】
好ましいアタッチメントにおいては、前記径大部２１の軸線方向Ｓの長さに相当する分以上に、前記第１部４１よりも前記第２部４２が高い位置に設けられていることを特徴とする。
【００２０】
この場合、前述のように、水平移動後に、本体ケース３０を引き上げると径大部が第２部の軸線方向に係合する。その結果、図１１の例と異なり針の抜き取り操作を容易かつ迅速に行うことができる。
【００２１】
更に好ましいアタッチメントにおいては、医療廃棄用の別の投入開口４６を有することを特徴とする。
【００２２】
この場合、前記別の投入開口４６から他の医療用廃棄物を容器内に投入できる。
【００２３】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００２４】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【００２５】
以下、本発明の実施例を図面にしたがって説明する。
図１〜図１０は実施例１を示す。
【００２６】
容器１は、注射針、シリンジまたは注射器などの医療用廃棄物を廃棄するための容器であり、前記容器１には、図１および図２に示すように、内蓋１３の投入開口１６にアタッチメント４が取り付けられている。
図２に示すように、前記アタッチメント４は、蓋部材１０および容器本体１２（図８）とは別の樹脂パーツで形成されている。
【００２７】
前記アタッチメント４の説明に先立ち、まず、前記アタッチメント４が装着される前の容器１について説明する。
図１に示すように、前記容器１は方形状の容器であり、容器本体（収容部）１２と、内蓋１３および外蓋１４からなる蓋部材１０とを備えている。
【００２８】
蓋部材１０：
前記蓋部材１０を構成する内蓋１３および外蓋１４は一体に形成され、内蓋１３と外蓋１４の間にはヒンジ１５が形成されている。内蓋１３は、容器本体１２の上部の開口部を覆うように嵌め込まれており、外蓋１４は、前記ヒンジ１５を中心に回転可能となっている。
【００２９】
前記内蓋１３は、その上面に前記廃棄物が投入される投入開口１６（図２）を備えている。前記廃棄物を投入開口１６（図２）から容器１の内部に投入するには外蓋１４を開状態に固定した状態で行う。
【００３０】
つぎに、本発明の針の取り外しに関するアタッチメント、構造および方法の説明に先立って、注射器３について説明する。
【００３１】
図４Ａおよび図５に示すように、注射器３は本体ケース３０、針ユニット２７、カバー２０および薬剤ケース５を備える。前記本体ケース３０には、前記針ユニット２７および薬剤ケース５が着脱可能に装着される。
【００３２】
本体ケース３０にはロッド３１が摺動自在に取り付けられている。ロッド３１は薬剤ケース５内の薬液を押し出す。なお、前記薬液は針２５の先端から吐出される。
【００３３】
図５に示すように、針ユニット２７は針２５と当該針２５の一部を囲繞するハウジング２６を有し、注射器３の本体ケース３０に着脱自在にネジ込まれている。前記針２５はハウジング２６の軸線方向Ｓの両端から突出している。前記カバー２０は径大部２１に連なるテーパ状の有底筒部２２を有し前記針ユニット２７の先端側を包む。
【００３４】
本実施例の場合、ハウジング２６の基端（本体ケース３０）側にはハウジング２６を本体ケース３０にネジ込むための係合突条２８が形成されている。未使用の状態では前記ハウジング２６にカバー２０が装着されて針２５の先端がカバー２０で包まれ、一方、針２５の基端側が薬剤ケース５に刺さった状態となっている。
なお、注射器３は図４Ｂに示すような構造であってもよい。
【００３５】
つぎに、図２のアタッチメント４について説明する。
図２において、アタッチメント４は図８Ａ〜図８Ｅのようにカバー２０が前記針ユニット２７に装着された状態で前記針ユニット２７を前記カバー２０と共に取り外すための構造を有する。
【００３６】
図１および図２に示すように、前記アタッチメント４は医療廃棄用の容器１の投入開口１６に装着され複数の係合部４４の樹脂弾性により係合して固定される。本実施例の場合、前記アタッチメント４は医療廃棄用の別の投入開口４６を有する。
【００３７】
図３Ａに示すように、前記アタッチメント４は当該アタッチメント４を貫通する長孔４０を有する。前記長孔４０は第１部４１および第２部４２を備える。
【００３８】
前記第１部４１は前記長孔４０の長手方向Ｌの一方の端部に形成され図８Ａのカバー２０の前記有底筒部２２に周方向に係合する。図３Ａの前記第２部４２は前記長手方向Ｌの他方の端部に形成され図８Ｃのカバー２０の径大部２１に軸方向Ｓに係合する。
【００３９】
本実施例の場合、前記第１部４１はカバー２０が周方向に係合し易いように、図３Ａの平面視が方形状である。一方、前記第２部４２は図８Ｃの径大部２１が軸線方向Ｓに係合し易いように、図３Ａの平面視において半円状の部分を有する。
【００４０】
図３Ａのアタッチメント４において、前記長手方向Ｌに直交する方向の大きさは前記第１部４１に比べ前記第２部４２が大きい。つまり、第１部４１の幅Ｗ１は第２部４２の幅Ｗ２よりも大きい。
【００４１】
本実施例のアタッチメントにおいて、図３Ｂおよび図８Ａ〜図８Ｃに示すように、前記径大部２１の軸線方向Ｓの長さに相当する分以上に、前記第１部４１よりも前記第２部４２が高い位置に設けられている。
【００４２】
本実施例の場合、図３Ａの前記第１部４１と第２部４２とは、第３部４３を介して前記長手方向Ｌに連なっている。前記第３部４３は第１部４１の幅Ｗ１および第２部４２の幅Ｗ２よりも大きい。
【００４３】
つぎに、本注射器の周知の使用方法について説明する。
まず、図６Ａの本体ケース３０に薬剤ケース５を装填する。ついで、カバー２０で覆われた針ユニット２７（図６Ｂ）の基端側を前記薬剤ケース５に刺すと共に、ハウジング２６（図６Ｂ）を本体ケース３０にネジ込む。これにより、図５の係合突条２８によって本体ケース３０にハウジング２６が固定される。
【００４４】
その後、図６Ａのカバー２０が取り外され、図６Ｂのように針２５の先端が露出する。この状態で、患者に針２５が穿刺され、図７のように、ロッド３１が押されて薬剤ケース５内の薬液が患者に注入される。
【００４５】
使用後、前記針ユニット２７に前記カバー２０が装着されていない状態で、前記カバー２０を前記長孔４０の第１部４１に置く。この後、前記第１部４１に置かれた前記カバー２０内に、前記本体ケース３０に装着された前記針ユニット２７の先端側を挿入し前記針ユニット２７に前記カバー２０を装着する。
【００４６】
つぎに、カバー２０が前記針ユニット２７に装着された状態で前記針ユニット２７を前記カバー２０と共に取り外す方法について説明する。
【００４７】
図８Ａのように、アタッチメント４に形成された長孔４０の第１部４１に前記カバー２０の有底筒部２２を押し込んだ状態で前記注射器３の本体ケース３０を回転させる。この回転により、前記本体ケース３０に前記針ユニット２７がネジ込まれているのを解除する解除工程が実行される。
すなわち、前記回転により、図８Ｂのように、ハウジング２６および係合突条２８が露出し、ハウジング２６が本体ケース３０に係合していた状態が解除される。
なお、この状態では前記針２５の基端側は前記薬剤ケース５に刺さった状態が維持されている。
【００４８】
前記解除工程の後に、図８Ｂの前記本体ケース３０と共に前記カバー２０を前記長孔４０の長手方向Ｌに沿って、図８Ｃのように、前記長孔４０の前記第１部４１から第２部４２に移動させる移動工程が実行される。
この際、前記第１部４１は第２部４２よりも径大部２１の軸線方向Ｓの長さに相当する分以上に高い位置に配置されており、そのため、前記移動工程において前記第１部４１から第２部４２に前記カバー２０を水平方向に平行移動させることができる。
【００４９】
前記移動工程後、図８Ｃの本体ケース３０を上方に引き上げると図８Ｄのように、前記カバー２０の径大部２１が前記第２部４２に前記針２５の軸線方向Ｓに係合する。この状態で、前記本体ケース３０を前記軸線方向Ｓの上方に向かって更に引き上げることで、前記本体ケース３０側に刺さっていた前記針ユニット２７が、図８Ｅのように、前記カバー２０と共に前記容器１内に落下する。
【００５０】
つぎに、図９の外科手術用メス６の替刃６０の取り外しについて説明する。
外科手術用メス６はメス本体６１の係合部６２に替刃６０の被係合部６３が係合していることで、メス本体６１に固定されている。
【００５１】
本例の場合、図１０Ａの前記アタッチメント４には替刃６０の取り外し機構７が設けられている。前記取り外し機構７は外科手術用メス６の替刃６０を含む先端部を挿入する挿入開口７０と、替刃６０の上端に係合する係合突部７１とを有する。
【００５２】
替刃６０を取り外す際には、まず、図１０Ａのように、外科手術用メス６の前記先端部を挿入開口７０に鉛直に挿入する。ついで、図１０Ｂのように、替刃６０の上端が係合突部７１に係合することが可能となるように、メス本体６１および替刃６０を傾ける。
【００５３】
その後、図１０Ｃのように、替刃６０の上端に係合突部７１が係合した状態で、メス本体６１を斜め上方に引き上げる。これにより、図１０Ｄのように、メス本体６１が係合部６２から外れ、容器本体１２（図１）内に落下する。
【００５４】
つぎに、図１１の他の例について説明する。
本実施例の場合、長孔４０はアタッチメントではなく、内蓋１３に形成されている。また、第１部４１と第２部４２とは同一高さ（レベル）に設定されている。
なお、本例においては図を見易くするために、注射器３および前記長孔４０を拡大して図示している。
【００５５】
つぎに、本例における針２５の取り外し方法について説明する。
図１１の矢印Ａの方向に針ユニット２７（図８）に装着されたカバー２０を押し入れ、ついで矢印Ｂのように本体ケース３０を回転させて、針ユニット２７（図８）が本体ケース３０にネジ込まれているのを解除する。
【００５６】
前記解除後、矢印Ｃのようにカバー２０を第３部４３までスライド（平行）移動させた後、カバー２０を含む注射器３を矢印Ｄのように下方の容器本体１２内に向かって若干移動させる。この移動により、カバー２０の径大部２１が長孔４０の第２部４２の高さよりも下方となる。
【００５７】
その後、矢印Ｅのようにカバー２０を第２部４２まで移動し、この後、矢印Ｆのように注射器３の本体ケース３０を引き上げることで、カバー２０付の針ユニット２７（図８）が容器本体１２内に落下する。
【産業上の利用可能性】
【００５８】
本発明は医療廃棄用の容器において注射器の針の取り外し技術に採用することができる。
【符号の説明】
【００５９】
１：容器  １０：蓋部材  １２：容器本体  １３：内蓋  １４：外蓋  １５：ヒンジ
１６：投入開口
２０：カバー  ２１：径大部  ２２：有底筒部  ２５：針  ２６：ハウジング  
２７：針ユニット  ２８：係合突条
３：注射器  ３０：本体ケース  ３１：ロッド
４：アタッチメント  ４０：長孔  ４１：第１部  ４２：第２部  ４３：第３部  
４４：係合部  ４６：投入開口
５：薬剤ケース
Ｌ：長手方向  Ｓ：軸線方向
Ｗ：幅方向  Ｗ１，Ｗ２：幅
【図１】
2016209184.tif 000003
【図２】
2016209184.tif 000004
【図３】
2016209184.tif 000005
【図４】
2016209184.tif 000006
【図５】
2016209184.tif 000007
【図６】
2016209184.tif 000008
【図７】
2016209184.tif 000009
【図８】
2016209184.tif 000010
【図９】
2016209184.tif 000011
【図１０】
2016209184.tif 000012
【図１１】
2016209184.tif 000013